(57)【要約】【課題】受け側で録音ファイルの分類作業を行うことなく分類記録可能なファイル記録システムを提供する。【解決手段】録音した音声に基づいて録音ファイルを生成するデータ処理装置と、データ処理装置により生成された録音ファイルを記憶する記録装置と、が互いに接続されて構成されるファイル記録システムにおいて、データ処理装置が録音ファイルを生成した際、録音ファイルを分類可能且つ記録装置を特定するためのカテゴリ情報を付与させ、記録装置がデータ処理装置の接続を検出した際、録音ファイルに自機が対応するカテゴリ情報が付与されているか否かを判定させ、カテゴリ情報が付与されていると判定された場合に、当該カテゴリ情報に基づいて当該録音ファイルを分類して記憶させる。【選択図】図４
2010170454.tif 000002
【特許請求の範囲】
【請求項１】
録音した音声に基づいて録音ファイルを生成するデータ処理装置と、前記データ処理装置により生成された前記録音ファイルを記憶する記録装置と、が互いに接続されて構成されるファイル記録システムにおいて、
前記データ処理装置は、
前記録音ファイルを生成した際、前記録音ファイルを分類可能且つ前記記録装置を特定するためのカテゴリ情報を付与する情報付与手段を備え、
前記記録装置は、
前記データ処理装置が接続されたことを検出する検出手段と、
前記検出手段により前記データ処理装置が接続されたことが検出された際、当該データ処理装置の前記情報付与手段により前記録音ファイルに自機が対応する前記カテゴリ情報が付与されているか否かを判定する判定手段と、
前記判定手段により前記カテゴリ情報が付与されていると判定された場合に、当該カテゴリ情報に基づいて当該録音ファイルを分類して記憶する記憶手段と、
を備えることを特徴とするファイル記録システム。
【請求項２】
前記カテゴリ情報は、
前記記録装置の機種名と、前記録音ファイルを分類するためのカテゴリ名を含むことを特徴とする請求項１に記載のファイル記録システム。
【請求項３】
前記記憶手段は、
前記カテゴリ名に対応するフォルダを備えることを特徴とする請求項２に記載のファイル記録システム。
【請求項４】
前記記憶手段は、
前記カテゴリ名に対応するフォルダを備えていなかった場合に、新たに当該カテゴリ名に対応するフォルダを作成することを特徴とする請求項３に記載のファイル記録システム。
【請求項５】
前記記憶手段は、
前記判定手段により前記カテゴリ情報が付与されていないと判定された場合に、当該録音ファイルを汎用フォルダに記憶することを特徴とする請求項１から４のいずれか一項に記載のファイル記録システム。
【発明の詳細な説明】
【技術分野】
【０００１】
本発明は、ファイル記録システムに関する。
【背景技術】
【０００２】
近年、大容量のメモリやハードディスク等を搭載したポータブルの記録再生装置が普及している。この記録再生装置は、ＰＣ（パーソナルコンピュータ）から転送されたＭＰ３（MPEG Audio Layer-3）ファイルやＷＭＡ（Windows（登録商標） Media Audio）ファイル等のデータファイル（音楽ファイル、画像ファイル等）を再生するものである。
【０００３】
上記のようなＭＰ３ファイルやＷＭＡファイルの場合、付加情報が付加されている場合が多い。例えば、音楽ファイルであればアーティスト名やアルバム名、ジャンル名等の分類についての分類情報（カテゴリ情報）が付加されている。記録再生装置では、音楽ファイルの検索を容易とするため、上記のようなデータ形式の音楽ファイルから付加情報を取得し、当該付加情報を検索用に用いるＧＵＩ（Graphical User Interface）機能を備えている。
【０００４】
例えば、特許文献１には、上記したような機能を備えた装置を利用して、録音ファイルを生成する際に、その録音ファイルの分類を示すカテゴリ情報を生成し、当該カテゴリ情報を録音ファイルに対応付ける技術が開示されている。このような技術を用いることにより、後に録音ファイルを検索する際にカテゴリ情報に基づいて検索範囲を絞ることができ、ユーザに選択させるために一覧表示する録音ファイルの数を減少させることができる。従って、ユーザによる録音ファイルの選択操作が容易となり、録音ファイルの検索性を向上させることができる。
【０００５】
また、上記のような技術を用いてデータ処理装置（例えば録音機能付きＤＡＰ等の録音装置）で録音されたデータを記録装置に記録又は移動させる場合、そのまま時系列で記録、移動させていた。
また、データ処理装置と記録装置を機器間接続させることなく、装置単体で録音ファイルを分類させる機能を備えていた。
【先行技術文献】
【特許文献】
【０００６】
【特許文献１】特開２００８−１０８０６０号公報
【発明の概要】
【発明が解決しようとする課題】
【０００７】
しかしながら、データ処理装置で録音されたデータを記録装置に記録又は移動する場合、そのまま時系列で記録、移動させていたため、受け側（記録装置側）で録音ファイルの編集作業が必要であった。
【０００８】
本発明は、受け側で録音ファイルの分類作業を行うことなく分類記録可能なファイル記録システムを提供することを目的とする。
【課題を解決するための手段】
【０００９】
請求項１に記載の発明は、上記目的を達成するためになされたものであり、録音した音声に基づいて録音ファイルを生成するデータ処理装置と、前記データ処理装置により生成された前記録音ファイルを記憶する記録装置と、が互いに接続されて構成されるファイル記録システムにおいて、前記データ処理装置は、前記録音ファイルを生成した際、前記録音ファイルを分類可能且つ前記記録装置を特定するためのカテゴリ情報を付与する情報付与手段を備え、前記記録装置は、前記データ処理装置が接続されたことを検出する検出手段と、前記検出手段により前記データ処理装置が接続されたことが検出された際、当該データ処理装置の前記情報付与手段により前記録音ファイルに自機が対応する前記カテゴリ情報が付与されているか否かを判定する判定手段と、前記判定手段により前記カテゴリ情報が付与されていると判定された場合に、当該カテゴリ情報に基づいて当該録音ファイルを分類して記憶する記憶手段と、を備えることを特徴とする。
【００１０】
請求項２に記載の発明は、請求項１に記載のファイル記録システムにおいて、前記カテゴリ情報は、前記記録装置の機種名と、前記録音ファイルを分類するためのカテゴリ名を含むことを特徴とする。
【００１１】
請求項３に記載の発明は、請求項２に記載のファイル記録システムにおいて、前記記憶手段は、前記カテゴリ名に対応するフォルダを備えることを特徴とする。
【００１２】
請求項４に記載の発明は、請求項３に記載のファイル記録システムにおいて、前記記憶手段は、前記カテゴリ名に対応するフォルダを備えていなかった場合に、新たに当該カテゴリ名に対応するフォルダを作成することを特徴とする。
【００１３】
請求項５に記載の発明は、請求項１から４のいずれか一項に記載のファイル記録システムにおいて、前記記憶手段は、前記判定手段により前記カテゴリ情報が付与されていないと判定された場合に、当該録音ファイルを汎用フォルダに記憶することを特徴とする。
【発明の効果】
【００１４】
本発明によれば、受け側で録音ファイルの分類作業を行うことなく分類記録可能なファイル記録システムを提供することができる。
【図面の簡単な説明】
【００１５】
【図１】本実施形態に係るＤＡＰ１００の概略構成を示すブロック図である。
【図２】本実施形態に係るコンポ２００の概略構成を示すブロック図である。
【図３】本実施形態に係るＤＡＰ１００内で行われる録音ファイル生成処理の一例について示したフローチャートである。
【図４】本実施形態に係るコンポ２００内で行われる録音ファイル取得処理の一例について示したフローチャートである。
【図５】ＤＡＰ１００に記憶されている録音ファイルのフォルダ構成の一例について示した図である。
【図６】ＤＡＰ１００に記憶されている録音ファイルにカテゴリ情報が付与されている様子の一例について示した図である。
【図７】コンポ２００に取得された録音ファイルのフォルダ構成の一例について示した図である。
【発明を実施するための形態】
【００１６】
以下、本発明の実施の形態を図面に基づいて説明する。なお、本実施形態では、本発明に係るデータ処理装置をＤＡＰに適用した場合について例示する。また、本発明に係る記録装置をコンポに適用した場合について例示する。
【００１７】
図１は、本実施形態に係るＤＡＰ１００の概略構成を示すブロック図である。
図１に示すように、ＤＡＰ１００は、表示部１１と、操作部１２と、アンプ１３と、出力部１４と、記憶部１５と、制御部１６と、セレクタ１７と、外部入力端子１７１と、マイク１７２と、外部Ｉ／Ｆ１８と、を備えて構成される。
【００１８】
表示部１１は、例えば、液晶や有機ＥＬ（Electro Luminescence）等のディスプレイを備え、制御部１６から出力された表示データに基づいて、楽曲情報等の各種情報（例えば、楽曲のトラック名や歌詞等のテキストファイル、ジャケット写真等の画像ファイル等）を表示する。
操作部１２は、ＤＡＰ１００を操作するための操作キー群（例えば方向指示キー、決定キー、再生キー、録音キー、停止キー等）を備える。操作部１２は、ユーザにより操作キーが押下されると、操作キーに応じた操作信号を生成し、制御部１６に出力する。
【００１９】
アンプ１３は、制御部１６から出力された音声信号を増幅して出力部１４に出力する。
出力部１４は、アンプ１３から出力された音声信号に基づく音声をヘッドホンやスピーカ、外部機器へ出力する。
【００２０】
記憶部１５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部１５に記憶された音声データは、制御部１６で信号処理され、音声信号としてアンプ１３に出力される。また、記憶部１５に記憶された画像ファイルは、制御部１６で信号処理され、表示部１１に出力される。
【００２１】
制御部１６は、例えば、ＣＰＵ（Central Processing Unit）１６１、ＲＡＭ（Random Access Memory）１６２、ＲＯＭ（Read Only Memory）１６３、ＤＳＰ（Digital Signal Processor）１６４等を備えて構成され、ＤＡＰ１００の各部を制御する。
ＣＰＵ１６１は、ＲＯＭ１６３に格納された処理プログラム等を読み出して、ＲＡＭ１６２に展開して実行することにより、ＤＡＰ１００全体の制御を行う。
ＲＡＭ１６２は、ＣＰＵ１６１により実行された処理プログラム等を、ＲＡＭ１６２内のプログラム格納領域に展開するとともに、入力データや上記処理プログラムが実行される際に生じる処理結果等をデータ格納領域に格納する。
ＲＯＭ１６３は、例えば、半導体メモリで構成され、処理プログラムやデータ等が予め記憶されている。ＲＯＭ１６３には、例えば、会議内容や会話内容等を録音したファイルを生成する録音ファイル生成プログラム等が記憶されている。
ＤＳＰ１６４は、音声ファイル、画像ファイル等のエンコードやデコード、音質調整等を行う。
【００２２】
また、制御部１６は、後述するセレクタ１７から入力された情報に基づいて録音ファイルを生成する。さらに、制御部１６は、録音ファイルを生成した際、録音ファイルを分類記憶可能な記録装置を特定するためのカテゴリ情報を付与する。当該カテゴリ情報には、例えば、記録装置の機種名や録音ファイルを分類するためのカテゴリ名が含まれている。
【００２３】
セレクタ１７は、外部入力端子１７１やマイク１７２から入力された各種情報を種類別に選択し、当該種類別に選択された情報を制御部１６に出力する。
外部入力端子１７１は、外部からの音声信号を入力するための端子であり、当該入力された音声信号をセレクタ１７へと出力する。また、マイク１７２は、ユーザによる音声の入力を受け付けると、当該入力された音声を電気信号に変換してセレクタ１７へと出力する。
Ｉ／Ｆ１８は、例えば、ＳＤカード、ＵＳＢメモリ等の記憶媒体を着脱可能に構成され、当該記憶媒体との間で定められた形式に従って、音声ファイル等の送受信を行う。
【００２４】
図２は、本実施形態に係るコンポ２００の概略構成を示すブロック図である。
図２に示すように、コンポ２００は、表示部２１と、操作部２２と、アンプ２３と、出力部２４と、記憶部２５と、制御部２６と、セレクタ２７と、外部入力端子２７１と、チューナ２７２と、外部Ｉ／Ｆ２８と、ＣＤメカ部２９と、を備えて構成される。
【００２５】
表示部２１は、例えば、液晶や有機ＥＬ（Electro Luminescence）等のディスプレイを備え、制御部２６から出力された表示データに基づいて、楽曲情報等の各種情報（例えば、楽曲のトラック名や歌詞等のテキストファイル、ジャケット写真等の画像ファイル等）を表示する。
操作部２２は、コンポ２００を操作するための操作キー群（例えば方向指示キー、決定キー、再生キー、停止キー等）を備える。操作部２２は、ユーザにより操作キーが押下されると、操作キーに応じた操作信号を生成し、制御部２６に出力する。
【００２６】
アンプ２３は、制御部２６から出力された音声信号を増幅して出力部２４に出力する。
出力部２４は、アンプ２３から出力された音声信号に基づく音声をヘッドホンやスピーカ、外部機器へ出力する。
【００２７】
記憶部２５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部２５に記憶された音声データは、制御部２６で信号処理され、音声信号としてアンプ２３に出力される。また、記憶部２５に記憶された画像ファイルは、制御部２６で信号処理され、表示部２１に出力される。
また、記憶部２５は、ＤＡＰ１００から取得された録音ファイルを、当該録音ファイルに含まれるカテゴリ情報に基づいて分類して記憶する。なお、記憶部２５は、カテゴリ情報に含まれるカテゴリ名に対応するフォルダを備え、カテゴリ名に対応するフォルダを備えていなかった場合には、新たに当該カテゴリ名に対応するフォルダを作成する。
【００２８】
制御部２６は、例えば、ＣＰＵ（Central Processing Unit）２６１、ＲＡＭ（Random Access Memory）２６２、ＲＯＭ（Read Only Memory）２６３、ＤＳＰ（Digital Signal Processor）２６４等を備えて構成され、コンポ２００の各部を制御する。
ＣＰＵ２６１は、ＲＯＭ２６３に格納された処理プログラム等を読み出して、ＲＡＭ２６２に展開して実行することにより、コンポ２００全体の制御を行う。
ＲＡＭ２６２は、ＣＰＵ２６１により実行された処理プログラム等を、ＲＡＭ２６２内のプログラム格納領域に展開するとともに、入力データや上記処理プログラムが実行される際に生じる処理結果等をデータ格納領域に格納する。
ＲＯＭ２６３は、例えば、半導体メモリで構成され、処理プログラムやデータ等が予め記憶されている。ＲＯＭ６３には、例えば、ＤＡＰ１００で録音された録音ファイルを取得するための録音ファイル取得プログラム等が記憶されている。
ＤＳＰ２６４は、音声ファイル、画像ファイル等のエンコードやデコード、音質調整等を行う。
【００２９】
また、制御部２６は、ＤＡＰ１００が接続されたことを検出する。制御部２６によりＤＡＰ１００の接続が検出された際、録音ファイルに自機が対応するカテゴリ情報が付与されているか否かの判定が行われる。また、制御部２６は、録音ファイルにカテゴリ情報が付与されていると判定した場合、当該カテゴリ情報に基づいて当該録音ファイルを記憶部２５に分類して記憶させる。一方、録音ファイルにカテゴリ情報が付与されていないと判定された場合、当該録音ファイルを記憶部２５の汎用フォルダに記憶させる
【００３０】
セレクタ２７は、外部入力端子２７１やチューナ２７２から入力された各種情報を種類別に選択し、当該種類別に選択された情報を制御部２６に出力する。
外部入力端子２７１は、外部からの音声信号を入力するための端子であり、当該入力された音声信号をセレクタ２７へと出力する。また、チューナ２７２は、図示しないアンテナを通じて受信された各種デジタル放送等の音声信号をセレクタ２７へと出力する。
Ｉ／Ｆ２８は、例えば、ＳＤカード、ＵＳＢメモリ等の記憶媒体を着脱可能に構成され、当該記憶媒体との間で定められた形式に従って、音声ファイル等の送受信を行う。
ＣＤメカ部２９は、ＣＤドライブ等の装置であり、ＣＤに記録された楽曲データを読み取り、制御部２６へと出力する。
【００３１】
図３は、本実施形態に係るＤＡＰ１００内で行われる録音ファイル生成処理の一例について示したフローチャートである。この録音ファイル生成処理は、ＤＡＰ１００の電源がＯＮされている場合に、ユーザによる録音操作に基づきＣＰＵ１６１がＲＯＭ１６３に格納されている録音ファイル生成プログラムを実行することにより実現される。
【００３２】
ユーザはまず、カテゴリ情報を付与するか否かを決定する。カテゴリ情報を付与する場合は、表示部１１に表示されるメニュー等により操作部１２を操作して所望のカテゴリ情報を選択して付与する。
図３に示すように、ステップＳ１０１では、ユーザによりカテゴリ情報の付与が選択されたか否かが判定される。カテゴリ情報の付与が選択された場合は、次のステップＳ１０２へと移行し、カテゴリ情報の付与が選択されなかった場合は、ステップＳ１０５へと移行する。
ステップＳ１０２では、録音が開始されたか否かが判定される。録音が開始された場合は、次のステップＳ１０３へと移行し、録音が開始されていなかった場合は、当該ステップＳ１０２の処理を繰り返す。
ステップＳ１０３では、録音が終了されたか否かが判定される。録音が終了された場合は、録音ファイルが生成され、次のステップＳ１０４へと移行する。一方、録音が終了されていなかった場合は、当該ステップＳ１０３の処理を繰り返す。
ステップＳ１０４では、ステップＳ１０３で生成された録音ファイルにカテゴリ情報が付与される。
ステップＳ１０５では、録音が開始されたか否かが判定される。録音が開始された場合は、次のステップＳ１０６へと移行し、録音が開始されていなかった場合は、当該ステップＳ１０５の処理を繰り返す。
ステップＳ１０６では、録音が終了されたか否かが判定される。録音が終了された場合は、当該録音ファイル生成処理を終了し、録音が終了されていなかった場合は、当該ステップＳ１０６の処理を繰り返す。
【００３３】
図４は、本実施形態に係るコンポ２００内で行われる録音ファイル取得処理の一例について示したフローチャートである。この録音ファイル取得処理は、コンポ２００の電源がＯＮされている場合に、ＣＰＵ２６１がＲＯＭ２６３に格納されている録音ファイル取得プログラムを実行することにより実現される。
【００３４】
図４に示すように、ステップＳ２０１では、ＤＡＰ１００が接続されたか否かが判定される。ＤＡＰ１００が接続された場合は、次のステップＳ２０２へと移行し、ＤＡＰ１００が接続されていなかった場合は、当該ステップＳ２０１の処理を繰り返す。
ステップＳ２０２では、接続されたＤＡＰ１００内に録音ファイルがあるか否かが判定される。録音ファイルがあった場合は、次のステップＳ２０３へと移行し、録音ファイルがなかった場合は、当該録音ファイル取得処理を終了する。
ここで、ＤＡＰ１００に記憶されている録音ファイルのフォルダ構成の一例について、図５を用いて説明する。
【００３５】
図５には、音楽ファイルを「Ｆｏｌｄｅｒ１」フォルダ、電話での通話内容や会議内容等をＤＡＰ１００に内蔵されたマイクや接続されたマイクを用いて、又はライン入力により録音したファイルを「ＲＥＣＯＲＤ」フォルダ、・・にそれぞれ格納した様子が示されている。
「Ｆｏｌｄｅｒ１」フォルダには、例えば、「ｍｕｓｉｃ０１．ｍｐ３」ファイル、「ｍｕｓｉｃ０２．ｍｐ３」ファイル、・・が格納されている。
また、「ＲＥＣＯＲＤ」フォルダには、例えば、「０８１２１５１０１８３３．ｗａｖ」ファイル、「０８１２１５１１０３５２．ｗａｖ」ファイル、「０８１２１５１３４０３３．ｗａｖ」ファイル、「０８１２１５１４５５２１．ｗａｖ」ファイル、・・が格納されており、例えば「０８１２１５１０１８３３．ｗａｖ」ファイルは２００８年１２月１５日１０時１８分３３秒に生成された録音ファイルであることを示している。
【００３６】
次に、図４のステップＳ２０３では、録音ファイルに自機用カテゴリ情報があるか否かが判定される。当該判定は、録音ファイルに含まれるＩＤ３タグ情報を参照することにより行われる。具体的には、上記した図５に示すように、ＩＤ３タグ情報のコメント欄に記載されているカテゴリ情報に「ＵＤＥ７７−ｋａｉｇｉ」と記載されていれば、自機が対応するカテゴリ情報であると認識する。また、例えば、ＩＤ３タグ情報のコメント欄に記載されているカテゴリ情報に「ｋａｉｇｉ」と記載されていれば、自機が対応するカテゴリ情報ではないと認識する。
【００３７】
なお、上記した対応関係は、コンポ２００側にＤＡＰ１００を接続することなどで予め設定可能であるものとする。設定方法としては、コンポ２００にＤＡＰ１００を接続したときに、ＤＡＰ１００がコンポ２００の機種名をカテゴリ情報として付与できるように、コンポ２００からＤＡＰ１００に機種名を登録させる。ＤＡＰ２００に登録された当該設定の選択肢として、例えば、「ＵＤＥ７７」「ＵＤＡ７７」「ＵＤＡ５５」のようなコンポ２００の機種名があり、ユーザはこれらの選択肢の中から１つを選択することで、録音ファイルに選択した機種名及びカテゴリ情報を付与することが可能である。なお、ＤＡＰ１００に登録されるコンポ２００の機種名はＤＡＰ１００に初期設定として登録されていてもよい。ＤＡＰ１００側で録音を開始する前にカテゴリ情報を付与するか否かは、ユーザがメニューの中から選択することにより決定される。なお、メニューの内容は、例えば、「付与しない」、「会議」、「会話」、「音楽」、「屋外」等である。これらのメニューの内容は、予め設定されていてもよく、又はユーザが新たに生成してもよい。
【００３８】
ステップＳ２０３での判定の結果、自機用カテゴリ情報があった場合は、次のステップＳ２０４へと移行し、自機用カテゴリ情報がなかった場合は、ステップＳ２０７へと移行する。
【００３９】
ステップＳ２０４では、カテゴリ情報に対応するフォルダがあるか否かが判定される。カテゴリ情報に対応するフォルダがあった場合は、ステップＳ２０６へと移行し、カテゴリ情報に対応するフォルダがなかった場合は、次のステップＳ２０５へと移行する。
ステップＳ２０５では、カテゴリ情報に対応するフォルダが作成される。
ステップＳ２０６では、ＤＡＰ１００から録音ファイルが取得され、カテゴリ情報に対応するフォルダに記録させる。
以下、図６を用いて、ステップＳ２０５及びステップＳ２０６の処理について説明する。
【００４０】
ＤＡＰ１００に記録された録音ファイルに、図６に示すようなカテゴリ情報が付与されているとする。
ここで、上記のような録音ファイルを有するＤＡＰ１００をコンポ２００（機種名：ＵＤＥ７７）に接続すると、「０８１２１５１０１８３３．ｗａｖ」ファイルは、自機が対応するカテゴリ情報（「ＵＤＥ７７」）が付与されており、かつカテゴリが「ｋａｉｇｉ」であるため、「会議」フォルダに記録される。なお、「会議」フォルダが存在しなかった場合は、新規作成される。
また、「０８１２１５１１０３５２．ｗａｖ」ファイルは、カテゴリ情報が「０８１２１５１０１８３３．ｗａｖ」ファイルと同様であるため、当該「０８１２１５１０１８３３．ｗａｖ」ファイルと同様の処理が行われる。
また、「０８１２１５１３４０３３．ｗａｖ」ファイルは、自機が対応するカテゴリ情報（「ＵＤＥ７７」）が付与されており、かつカテゴリが「ｋａｉｗａ」であるため、「会話」フォルダに記録される。なお、「会話」フォルダが存在しなかった場合は、新規作成される。
また、「０８１２１５１４５５２１．ｗａｖ」ファイルは、カテゴリ情報が付与されていないため、録音ファイルを格納する汎用フォルダに記録される。
【００４１】
次に、図４のステップＳ２０７では、上記「０８１２１５１４５５２１．ｗａｖ」ファイルのように録音カテゴリに自機用カテゴリ情報が付与されていない録音ファイルが取得され、汎用フォルダに記録される。なお、自機用録音カテゴリ情報が付与されていない録音ファイルについては取得しない処理を行うことも可能である。
【００４２】
ここで、コンポ２００に取得された録音ファイルのフォルダ構成の一例について、図７に示す。
図７には、取得された録音ファイルが「ＲＥＣＯＲＤ」フォルダ、・・に格納された様子が示されている。
「ＲＥＣＯＲＤ」フォルダ内には、会議内容を録音したファイルを記憶するための「会議」フォルダ、会話内容を録音したファイルを記憶するための「会話」フォルダが作成されており、例えば、「会議」フォルダには、「０８１２１５１０１８３３．ｗａｖ」ファイル、「０８１２１５１１０３５２．ｗａｖ」ファイル、・・が格納されている。また、例えば、「会議」フォルダには、「０８１２１５１３４０３３．ｗａｖ」ファイル、・・が格納されている。
また、「０８１２１５１４５５２１．ｗａｖ」ファイルは、カテゴリ情報が付与されていないため、「ＲＥＣＯＲＤ」フォルダ（汎用フォルダ）に格納されている。
【００４３】
以上、本発明に係る実施形態に基づいて具体的に説明したが、本発明は上記実施形態に限定されるものではなく、その要旨を逸脱しない範囲で変更可能である。
【００４４】
例えば、チューナが付属したＤＡＰ１００が受信した放送内容を録音した場合にも適用可能である。なお、カテゴリ情報は局名又は受信周波数である。
この場合、コンポ２００は、自機が対応するカテゴリ情報に基づいて作成されるフォルダごとに録音ファイルを分類して記憶する。
【００４５】
また、上記実施例においては、録音ファイルにおけるカテゴリ情報をＩＤ３タグ等のタグ情報として付与したが、ファイル名にカテゴリ情報を付与してもよく、さらにはＤＡＰ１００における記憶部１５に各録音ファイルに対応するデータベースとして記録されていてもよい。
【００４６】
その他、ＤＡＰ１００及びコンポ２００を構成する各装置の細部構成及び細部動作に関しても、本発明の趣旨を逸脱することのない範囲で適宜変更可能である。
【符号の説明】
【００４７】
１００  ＤＡＰ
１１  表示部
１２  操作部
１３  アンプ
１４  出力部
１５  記憶部
１６  制御部
１６１  ＣＰＵ
１６２  ＲＡＭ
１６３  ＲＯＭ
１６４  ＤＳＰ
１７  セレクタ
１８  外部Ｉ／Ｆ
２００  コンポ
２１  表示部
２２  操作部
２３  アンプ
２４  出力部
２５  記憶部
２６  制御部
２６１  ＣＰＵ
２６２  ＲＡＭ
２６３  ＲＯＭ
２６４  ＤＳＰ
２７  セレクタ
２８  外部Ｉ／Ｆ
２９  ＣＤ入力部
【図１】
2010170454.tif 000003
【図２】
2010170454.tif 000004
【図３】
2010170454.tif 000005
【図４】
2010170454.tif 000006
【図５】
2010170454.tif 000007
【図６】
2010170454.tif 000008
【図７】
2010170454.tif 000009